(57)【特許請求の範囲】
【請求項１】
デジタルテレビジョン信号を受信するためのデジタルテレビジョン信号受信部と、
視聴者の個有のデータを保持するＩＣカードと、
前記ＩＣカードが挿入されるＩＣカードコネクターと、
前記ＩＣカードのデータに基づき前記受信部を制御するための制御部と、
該制御部の制御を実行するためのプログラムを記憶する電気的に書き換え可能なＲＯＭとを備えるデジタルテレビジョン受信機に於いて、
前記ＩＣカードコネクターに挿入されるＩＣカードインターフェイスと、アップデート用のプログラムを取り込み前記ＩＣカードインターフェイスを介してその取り込んだプログラムに書き換える書き換え制御部を備えるＲＯＭ書き換え装置によって前記ＩＣカードコネクターを介して前記ＲＯＭのプログラムを書き換えることを特徴とするデジタルテレビジョン受信機。
【発明の詳細な説明】
【０００１】
【発明の属する技術分野】
本発明は、通信衛星（ＣＳ）放送等のデジタル衛星放送を受信できるデジタルテレビジョン受信機に関するものである。
【０００２】
【従来の技術】
近年開始されたＣＳを使用した多チャンネルデジタル衛星放送（ＣＳ放送）システムでは、例えば、７０以上の多数のチャンネルが用意されており、多数の番組が提供されている。このような放送では、今までにない機能、例えば、現在放送されている番組および将来放送される番組の案内情報が本来の番組データとともに所定時間間隔で伝送されており、視聴者はこの番組案内（番組ガイド）情報等に基づいて番組を選択して見ることができるようになっている。
【０００３】
また、このＣＳ放送では、視聴者の専用のＩＣカードを購入して、そのＩＣカードでの視聴番組に応じて番組の購入履歴を管理し、電話回線で視聴履歴を収集して課金する番組単位の購入を可能にする所謂ＰＰＶ（PAY PER VIEW）と呼ばれるシステムが採用されている。
【０００４】
このＣＳ放送を受信するデジタルテレビジョン受信機の構成及び動作について図５に示すブロック図を用いて説明をする。図５において、１はＣＳ放送の電波を受信するアンテナ、２はＣＳデジタル信号を受信するデジタル復調部、３はスクランブルされたＣＳデジタル信号を解除するディスククランブラ回路、４は視聴者が選択した番組のデータを選択受信する分離（ＤＥＭＵＸ）回路、５はＭＰＥＧデコーダ、６はＮＴＳＣエンコーダ、７は各回路を制御するメインＣＰＵ、８はメインＣＰＵ７を動作させるためのプログラムが記憶されているプログラムＲＯＭ、９は番組ガイドを陰極線管等に表示するための漢字が記憶されている漢字ＲＯＭ、１０はモデム、１１はＩＣカード、１２はＩＣカードが挿入されるＩＣカードコネクター、１３は視聴者からの制御指令等により各種指令をするサブＣＰＵ、１４はリモートコントロール送信機（リモコン）、１５はＣＰＵバスライン、１６はＰＣＭエンコーダである。
【０００５】
以下、動作を説明する。まず、番組放送提供者からの映像と音声をＭＰＥＧで映像及び音声を圧縮して、複数の番組を多重して有料放送番組である場合はスクランブルをかけＱＰＳＫ変調し、その放送信号を通信衛星からＣＳ放送信号として送信する。各視聴者は、そのＣＳ放送信号をアンテナ１で受信して、デジタル復調部２でＱＰＳＫ復調で復調され、誤り訂正されたあとディスクランブラ回路３に入力される。ディスクランブラ回路３では、視聴者はデータとして送信される番組ガイドを見てリモコン１４から希望する番組を選択し、サブＣＰＵ１３からメインＣＰＵ７に指令を与え、メインＣＰＵ７はＩＣカード１１でスクランブル解除キーを生成してディスクランブラ回路３でスクランブルを解除して、ＤＭＵＸ回路４で選択された番組を分離する。
【０００６】
そして、ＭＰＥＧデコーダ５で映像をデジタルコンポーネント信号に変換し、音声はシリアルデジタル信号に伸張されて出力する。映像はＮＴＳＣエンコーダ６で、音声はＰＣＭエンコーダ１６でアナログ信号に変換され、図示しないテレビジョン受像機などのモニタにより番組が見れる。
【０００７】
一方、ＩＣカード１１には、視聴者が選択した番組の課金情報をメインＣＰＵ７の指令により記憶して、更に、モデム１０を介してその課金情報を視聴管理センター等へデータとして送る。また、モデム１０は視聴者参加番組での投票操作などのよるデータも送信するようにしている。
【０００８】
このようなＩＣカードの課金情報の記憶、又は番組ガイドのデータを取り込み表示させることやディスクランブラ回路の制御などを行わせるなどのプログラムを記憶しているプログラムＲＯＭ８に基づいてメインＣＰＵ７が動作する。
【０００９】
尚、このようなＣＳ放送システムやデジタルテレビジョン受信機については、例えば、オーム社発行の雑誌：エレクトロニクスの１９９６年９月号の６０頁から９５頁の「特集：デジタル放送新時代」、１９９６年１１月１５日のテレビジョン学会技術報告：CE'96-16(Nov, 1996)のVol.20３５頁から４０頁に記載の「ＣＳデジタル放送受信用チューナ」に記載されている。
【００１０】
ところで、このようなデジタルテレビジョン受信機では、プログラムＲＯＭは一般に書き込んだのち消去できないようなＲＯＭが使用されている。
【００１１】
このためＣＳ放送するサービス会社毎にその放送のサービス内容や放送データなどが異なったり、ＣＳ放送サービスのアップデートなどの対応などで現在所有しているデジタルテレビジョン受信機をアップデートしようとしてもできないと言う問題があった。
【００１２】
【発明が解決しようとする課題】
本発明では、デジタルテレビジョン受信機のプログラムＲＯＭを電気的に書き換え可能なＲＯＭ（フラッシュＲＯＭ）にして、その書き換えを受信機のメインＣＰＵのバスラインと外部との接続が可能なＩＣカードのコネクターを利用してフラッシュＲＯＭのプログラムの書き換えを可能にしたデジタルテレビジョン受信機を提供することを目的とする。
【００１３】
【課題を解決するための手段】
本発明は、デジタルテレビジョン信号を受信するためのデジタルテレビジョン信号受信部と、
視聴者の個有のデータを保持するＩＣカードと、
前記ＩＣカードが挿入されるＩＣカードコネクターと、
前記ＩＣカードのデータに基づき前記受信部を制御するための制御部と、
該制御部の制御を実行するためのプログラムを記憶する電気的に書き換え可能なＲＯＭとを備えるデジタルテレビジョン受信機に於いて、
前記ＩＣカードコネクターに挿入されるＩＣカードインターフェイスと、アップデート用のプログラムを取り込み前記ＩＣカードインターフェイスを介してその取り込んだプログラムに書き換える書き換え制御部を備えるＲＯＭ書き換え装置によって前記ＩＣカードコネクターを介して前記ＲＯＭのプログラムを書き換えることを特徴とするデジタルテレビジョン受信機である。
【００１６】
【発明の実施の形態】
以下、本発明の実施例を図面を参照しながら説明する。図１はプログラムＲＯＭのプログラムの書き換えをするＲＯＭライタのブロック図であり、図２はＲＯＭライタをデジタルテレビジョン受信機に接続している状態を示す図である。
【００１７】
まず、デジタルテレビジョン受信機の構成について説明すると、その構成は従来技術で説明した図５に示すブロック図と同じであるが、プログラムＲＯＭ８の構成が電気的に書き換え可能なフラッシュＲＯＭを使用する構成とした。
【００１８】
そして、このプログラムＲＯＭ８は、ＣＰＵバスライン１５を介してＩＣカードコネクター１２に接続されている点に着目し、ＲＯＭライタをＩＣカードコネクター１２に接続してプログラムＲＯＭ８を書き換えるようにした。
【００１９】
次に、ＲＯＭライタの構成を説明する。図１において２８はＲＯＭライタ用ＣＰＵ、１７はＣＰＵ２８のプログラムＲＯＭ、１９はアップデート用のデータが保持されるＥＰＲＯＭ（図示しない）からのデータを入出力するＥＰＲＯＭインターフェイス、２０はＥＰＲＯＭが挿入されるソケット、２１は液晶パネルへの表示入出力データの液晶パネルインターフェイス、、２２は液晶パネル、１８はＩＣカードのコネクター１２とＣＰＵ２８との間のＩＣカードインターフェイス、２６はＲＳ２３２Ｃの入出力用ＲＳ２３２Ｃインターフェイス、２７はバスライン、２３はＲＯＭライタを動作させるためのスタートＳＷ、２４は動作状態を表示するＬＥＤ、２５は動作モードを指定するディプスイッチである。
【００２０】
このように構成されたＲＯＭライタにより、デジタルテレビジョン放送受信機のプログラムＲＯＭ８を書き換えてデートアップする場合には以下のようにする。ＲＯＭライタ３０のＩＣカードインターフェイス１８を陰極線管３５を備えたデジタルテレビジョン受信機３４のＩＣカード挿入口２９に挿入する。それによりＩＣカードコネクター１２を介してプログラムＲＯＭ８とＩＣカードインターフェイス１８から接続線３２を介してＣＰＵ２８が接続される。
【００２１】
尚、このＲＯＭライタ３０には液晶パネル２２やＬＥＤ２４又は各種操作スイッチ３３（スタートスイッチ２３やディプスイッチ２５等のスイッチ類）が配置されている。
【００２２】
次に、ＲＯＭライタによるプログラムＲＯＭ８の書き換えの動作について図３のフローチャート図を参照しながら説明をする。
【００２３】
はじめに、ＲＯＭライタ３０のＩＣカードインターフェイス１８をデジタルテレビジョン受信機のＩＣカードコネクター１２に挿入する。次に、ＲＯＭライタの電源をオンしたのちデジタルテレビジョン受信機の電源をオンする。尚、書き換えられるべきプログラムは、ＥＰＲＯＭソケット２０に挿入されるＥＰＲＯＭ（図示しない）に記憶されている。
【００２４】
また、ＩＣカード１１とＲＯＭライタ３０の判別をするために次のような構成としている。即ち、ＩＣカード１１は８端子で構成されているのに対して、ＲＯＭライタ３０は９端子でＩＣカードインターフェイス１８を構成しており、８つの端子はＩＣカード１１と同じ位置に配置されているが、残りの１つの端子が余分に設けられた構成になっている。。
【００２５】
これによりＩＣカードコネクター１２も９つの接続点が接続される構成となっており、ＩＣカード１１が接続されるときは、ＩＣカード１１とＩＣカードコネクター１２の９つ目の接続点は開放された状態になるため「Ｈ」レベルとなる。
【００２６】
一方、ＲＯＭライタ３０が接続されると、ＩＣカードインターフェイス１８の９つ目の端子とＩＣカードコネクター１２の９つ目の接続点が接続されることになる。このＩＣカードインターフェイス１８の９つ目の端子はＲＯＭライタ３０側でアースに接続されているため「Ｌ」レベルとなる。
【００２７】
この９つ目の接続点の状態をメインＣＰＵ７が検知してＩＣカード１１かＲＯＭライタ３０のいづれが接続されているかを検出する。従って、ＲＯＭライタ３０が接続されるとメインＣＰＵ７はプログラムＲＯＭ８を書き換えるモードになっている。
【００２８】
次に、書き換え動作を開始するときは、スタートスイッチ２３をオンする。すると、メインＣＰＵ７からのクロックが入力されてきたか否かを確認し（Ｓ１）、入力を検知すればＲＯＭライタからのデータの転送スピード設定とデータリンクをクロックの検知から２秒以内に確立する（Ｓ２）。尚、スタートスイッチ２３をオンすることにより動作を開始するが、上述したＩＣインターフェイス１８の挿入からの一連の動作を順番にすることにより自動的にスタートする構成にしても良い。即ち、ＩＣカードインターフェイス１８を挿入→ＲＯＭライタ３０の電源オン→デジタルテレビジョン受信機の電源オンを行えば、メインＣＰＵ７からクロックがＲＯＭライタ３０へ出力される構成とすることで自動的にスタートすることができる。
【００２９】
そして、ＲＯＭライタのＥＰＲＯＭデータをバスライン２７を介してＣＰＵ２８に送り、ＩＣカードインターフェイス１８を介してメインＣＰＵ７に転送する。このときデータの転送はセクタ毎に転送され（Ｓ３）、１つのセクタが送られたことをメインＣＰＵ７が判断したならば、そのセクタ分だけプログラムＲＯＭ８をイレースする（Ｓ４）。プログラムＲＯＭ８のイレースが完了したならば、転送されているセクタのデータをプログラムＲＯＭ８のイレースしたセクタにに書き込むようにコマンドを送信して書き込を開始する（Ｓ５）。
【００３０】
この動作をセクタ毎に行い、全セクタの書き込が終了したならば（Ｓ６）、書き込み完了したか否かを確認して終了する（Ｓ７）。尚、この動作は例えば液晶パネル２２などでその動作状況を表示することもできるし、ＬＥＤ２４を点滅させることにより動作の状態を使用者に認識させるようにする。以上によりプログラムを書き換えることができる。
【００３１】
次に、プログラムの部分的な変更やアップデートをする場合について、図４のフローチャート図を用いて説明する。基本的には図３のフローチャートの動作と同じである。まず、書き換え動作を開始するときは、スタートスイッチ２３をオンする。すると、メインＣＰＵ７からのクロックが入力されてきたか否かを確認し（Ｓ８）、入力を検知すればＲＯＭライタからのデータの転送スピード設定とデータリンクをクロックの検知から２秒以内に確立する（Ｓ９）。
【００３２】
そして、ＲＯＭライタのＥＰＲＯＭデータをバスライン２７を介してＣＰＵ２８に送り、ＩＣカードインターフェイス１８を介してメインＣＰＵ７に転送する。このときデータの転送はセクタ毎に転送されるが、この場合プログラムの書き換えるセクタを指定してデータを送信する（Ｓ１０）。指定セクタのデータが送られたことをメインＣＰＵ７が判断したならば、その指定セクタだけプログラムＲＯＭ８をイレースする（Ｓ１１）。プログラムＲＯＭ８のイレースが完了したならば、転送されているセクタのデータをプログラムＲＯＭ８のイレースしたセクタにに書き込むようにコマンドを送信して書き込を開始する（Ｓ１２）。指定のセクタの書き込が終了したならば（Ｓ１３）、書き込み完了したか否かを確認して終了する（Ｓ１４）。以上のようにすれば指定のセクタのみ書き換え可能になる。
【００３３】
【発明の効果】
本発明は、プログラムＲＯＭが電気的に書き換え可能なフラッシュＲＯＭであるためプログラムＲＯＭの内容をＩＣカードのコネクターを介して外部から書き換えることができるので、新機能や新しいサービスに対応できるようにデジタルテレビジョン受信機のハード構成を代えずに容易にアップデートを行うことができる。
【図面の簡単な説明】
【図１】本発明のＲＯＭライタの実施例を示すブロック図。
【図２】本発明のデジタルテレビジョン受信機にＲＯＭライタを接続したときの図面。
【図３】本発明のＲＯＭ書き換え動作を示すフローチャート図。
【図４】本発明のＲＯＭの部分書き換えの動作を示すフローチャート図。
【図５】デジタルテレビジョン受信機のブロック図。
【符号の説明】
２２  液晶パネル
２４  ＬＥＤ
２９  ＩＣカード挿入口
３０  ＲＯＭライタ
３１  ＩＣカードインターフェイス
３２  接続線
３３  スイッチ
３４  デジタルテレビジョン受信機
３５  陰極線管
【図１】
0003663027.tif 000002
【図２】
0003663027.tif 000003
【図３】
0003663027.tif 000004
【図４】
0003663027.tif 000005
【図５】
0003663027.tif 000006